【手続補正書】
【提出日】平成20年9月12日(2008.9.12)
【手続補正１】
【補正対象書類名】明細書
【補正対象項目名】０００９
【補正方法】変更
【補正の内容】
【０００９】
概要
図１は、本発明の具体例を実行することのできる、典型的な通信システムについて図示する。送信局（ＴＳ：transmission station）１０２は受信局（ＲＳ：receiving station）１０４に順方向リンク１０６Ａを通して信号を送信する。ＴＳ１０２から送信される信号はユーザデータを含むため、順方向リンクは少なくともトラヒックチャネルを含まなければならない。ＴＳ１０２は、ＲＳ１０４から逆方向リンク１０６Ｂを通して、信号を受信する。ＲＳ１０４から送信される信号は、ユーザデータを含む必要がないため、逆方向リンクはトラヒックチャネルを含む必要がない。もし２方向ユーザデータ通信を希望する場合には、順方向リンク１０６Ａおよび逆方向リンク１０６Ｂの双方がトラヒックチャネルを含まなければならない。簡単化のため、通信システム１００は２つの局のみを含むように示されている。かかるシステムは、例えば、互いに通信する２つのコンピュータとして表示することができる。しかしながら、通信システム１００に関しては他の変形例および構成が可能である。複数ユーザ、多重−アクセス通信システムにおいて、単一のＴＳが、同時にまたは連続してデータを多数のＲＳに送信するために、そして多数のＲＳからのデータを受信するために、使用可能である。
【手続補正２】
【補正対象書類名】明細書
【補正対象項目名】００１２
【補正方法】変更
【補正の内容】
【００１２】
データのみのシステムに関する事例は、１９９７年１１月３日に出願され、２００３年６月３日に現在の米国特許６，５７４、２１１として発行され、本発明の譲受け人に譲渡され参照することによりここに組込まれる、“METHOD AND APPARATUS FOR HIGH RATE PACKET DATA TRANSMISSION（高速パケットデータ送信のための方法および装置）”なる名称の出願である連続番号第０８／９６３、３８６号に開示されたシステムのような、高データレート（ＨＤＲ：high data rate）システムである。
【手続補正３】
【補正対象書類名】明細書
【補正対象項目名】００１３
【補正方法】変更
【補正の内容】
【００１３】
順方向リンク１０６Ａおよび逆方向リンク１０６Ｂは、案内媒体、例えばワイヤ、同軸ケーブル、光ケーブル、またはこの技術分野の熟練者に知られている他の媒体を介して、または無線リンクの場合は自由空間を介して、伝達することができる。
【手続補正４】
【補正対象書類名】明細書
【補正対象項目名】００１４
【補正方法】変更
【補正の内容】
【００１４】
通信システム１００は、順方向リンク１０６Ａ上において、可変データレート送信を採用することができる。連続番号第０８／９６３、３８６号の出願に開示されているかかるシステムは、３８．４ｋｂｐｓから２．４Ｍｂｐｓに変化するデータレートの集合について規定し、このレートでアクセスポイント（例えばＴＳ１０２）はアクセス端末（例えばＲＳ１０４）にパケットデータを送信することができる。１つの実施の形態において、データレートは、ＲＳ１０４においてはデータレート選択方法により、そしてＴＳ１０２においてはスケジューラ方式（scheduler method）により決定される。例えデータレートの決定がデータレート選択方法およびスケジューラ方式なる用語により記載されているとしても、この技術分野において通常の熟練を有する者は、これらは単なる事例であり、如何なるデータレート決定方法も使用可能であることを理解するであろう。
【手続補正５】
【補正対象書類名】明細書
【補正対象項目名】００１６
【補正方法】変更
【補正の内容】
【００１６】
１つの実施の形態において、通信システム１００の各ＴＳは、パイロット信号と呼ばれる既知の信号を効果的に定められた周期的なインターバルで送信する。ＲＳ１０４は、ＲＳ１０４のアクティブセット（active set）において複数ＴＳから受信されたパイロット信号を監視し、そしてこのパイロット信号を各ＴＳに関連する質的な測定基準を決定するために利用する。１つの実施の形態において、この質的な測定基準は、信号対干渉およびノイズの比率（ＳＩＮＲ：signal-to-interference-plus-noise ratio）である。この明細書の意図において、アクティブセットは、関連する順方向トラヒックチャネルを効果的に復調することができることを示すために十分な強度をもって受信された全てのパイロット信号から、特定のＲＳにより選択されたパイロット信号のリストである。ＴＳのそれぞれからのＲＳ１０４のアクティブセットへの、過去の信号セグメントにおけるＳＩＮＲ情報に基づき、ＲＳ１０４はＴＳのそれぞれに関するＲＳ１０４のアクティブセットへの、未来の信号セグメントにおけるＳＩＮＲを予測する。１つの実施の形態において、信号セグメントはスロットである。典型的な予測方法は、本発明の譲受け人に譲渡され、参照することによりここに組込まれ、２００２年７月３日に現在の米国特許６，４２６、９７１として発行された、“SYSTEM AND METHOD FOR ACCURATELY PREDICTING SIGNAL TO INTERFERENCE AND NOISE RATIO TO IMPROVE COMMUNICATIONS SYSTEM PERFORMANCE(通信システムの性能を向上するため、信号対干渉およびノイズ比を正確に予測するためのシステムおよび方法)”なる名称の出願である連続番号第０９／３９４、９８０号に開示されている。ＲＳ１０４は続いてＴＳ（例えばＴＳ１０２）を選択し、これは将来のスロット（slot(s)）にわたって最良の処理量を提供し、そしてＲＳ１０４が受信可能なＴＳ１０２からの次のパケットにおける最高のデータレートを評価する。ＲＳ１０４は続いてＴＳ１０２に対しＲＳ１０４が次のパケットをそのレートで受信することを望むデータレートを指示するデータレート要求（ＤＲＣ：data rate request）を送信する。
【手続補正６】
【補正対象書類名】明細書
【補正対象項目名】００１９
【補正方法】変更
【補正の内容】
【００１９】
ＲＳ１０４によってＴＳ１０２からのＤＲＣを介して要求されたデータレートはレート制御方法を使用して決定され、レート制御方法は将来のスロットに関するＳＩＮＲをＴＳ１０２からの過去のスロットに関するＳＩＮＲに基づき予測する。ＴＳ１０２からのＳＩＮＲは、チャンネルの変化に起因する急速な予測不可能な変化を受け易い。かかる変化は、ＳＩＮＲの変化、信号強度の時間による変動、時間変化、およびこの技術分野の熟練者にとって知られている他の変動を含む。これらの変動は、異なる通信チャネルに関しては異なるため、無線通信チャネルに関する信号の送信は、例えば同軸ケーブル、光ケーブル、およびこの技術分野の熟練者にとって知られている他の形式によるような、ワイヤによる通信チャネルにおける信号の送信とは異なる考察を要求する。無線通信システムにおける通信チャネル特性に影響する要因の１つは、インターセル（inter-cell）干渉である。基地局の幾つかは、データ期間が継続する間においては使用されない状態に維持されるために、かかる干渉レベルは、パイロット送信期間に見られる干渉レベルよりも、データ送信期間においては十分に高いかもしれない。その結果として、ＲＳ１０４にとってＳＩＮＲを高い精度で予測することが常に可能であるわけではない。それ故に、速度制御方法は、高い確率を有する次のパケットが継続する期間に、実際のＳＩＮＲにおいてより低い限界を設定し、そして、実際のＳＩＮＲがこの低い限界に等しい場合は、維持可能な最大のデータレートを決定する。換言すれば、このレート制御法は次のパケットが受信可能なレートデータの控えめな基準（conservative measure）を提供する。
【手続補正７】
【補正対象書類名】明細書
【補正対象項目名】００５０
【補正方法】変更
【補正の内容】
【００５０】
本発明の他の実施の形態において、ＲＳ１０４がパケットのデコーディングを試みることを決定する場合、少なくとも最小数の反復Ｎｍｉｎおよび多くとも最大数の反復Ｎｍａｘに関する反復デコーディング工程が実行される。１つの実施の形態において、ＮｍｉｎおよびＮｍａｘは種々のチャネルの状態における復調器の機能に関するシミュレーションまたは制御された試験に従って決定される。最初のＮｍｉｎ反復の後、デコードされたペイロードの質的な測定基準が計算され、そしてデコードされたパケットに含まれる質的な測定基準と比較される。１つの実施の形態において、質的な測定基準は周期的な冗長性チェック（ＣＲＣ：cyclic redundancy check）である。２つのＣＲＣが等しい場合には、ＣＲＣは妥当であると云われる。ＣＲＣが妥当な場合には、連続的な反復に関するデコーディングが実行され、そしてデコードされたペイロードのＣＲＣが計算され、そしてデコードされたパケットに含まれるＣＲＣと比較される。２つの連続する反復の後で計算されたＣＲＣが同一かつ妥当な場合には、デコーディングは有功であると考えられ、終了する。２つの連続する反復の後で計算されたＣＲＣが同一でなくかつ妥当でないな場合には、追加のｍの反復に関するデコーディングが実行され、試験が繰返される。いずれの場合においても、デコーディングはＮｍａｘの反復の後で終了する。最初のＮｍａｘの反復の後、デコードされたペイロードのＣＲＣが計算され、そしてデコードされたパケットに含まれるＣＲＣと比較される。２つのＣＲＣが等しい場合には、パケットは有効にデコードされたと宣言される。上に記載した方法は、１９９９年７月９日に出願され、２００１年１月３０日に現在の米国特許６，１８２、２６１として発行された、本発明の譲受け人に譲渡され、そして参照することによりここに組込まれる“EFFICIENT ITERATIVE DECODING(効率の良い反復デコーディング)”なる名称の出願である連続番号第０９／３５０、９４１号に開示されている。
【手続補正８】
【補正対象書類名】明細書
【補正対象項目名】００５２
【補正方法】変更
【補正の内容】
【００５２】
図３は、本発明の１つの実施の形態に従う概念的な順方向リンク構造を図示する。複数−スロットのパケットが連続するスロット内でＴＳ１０２（図１参照）からＲＳ１０４（図１参照）に送信される。第１のスロットの送信がＮ番目のスロットにおいて開始する。ＲＳ１０４はこのパケットをデコードし、そして送信に係る（ｎ＋１）番目のスロットが受信された後にデコードされた結果に関するＣＲＣを検証する。ＲＳ１０２はスロット（ｎ＋４）内のＦＡＳＴ_ＡＣＫ信号を送ることにより、その結果についてＴＳ１０２に通知する。ＴＳ１０２はＦＡＳＴ_ＡＣＫ信号を復調しそして判断し、そしてスロット（ｎ＋４）内の現在のパケットの送信を終了する。このようにして、例え現在のパケットの送信が早期に終了しても、スケジューリング方法が（ｎ＋１）番目のスロットと（ｎ＋５）番目のスロット間のインターバルで現在のパケットを再送信した場合には、かなりの送信の浪費が生ずる。この技術分野における熟練者は、動作およびスロット間の類似性は単に事例とすることを目的とするためのものであることを理解するであろう。このように、実行されるシステムは、スロットをデコーディングしそしてＦＡＳＴ_ＡＣＫ信号を送る間の２つのスロットとは異なるインターバルを取ることができる。